(57)【要約】【課題】            昆虫の誘虫性を低減し、さらに植物への悪影響を低減する。また自然生態系への光影響を少なくし、夜間の人間生活にも快適性、保全性、安全性を得ることを課題とする。【解決手段】        蛍光水銀ランプの外球の表面に、酸化亜鉛と緑色無機顔料を混合したスラリーを被着する。そして、３８０ｎｍ以下の紫外放射を９０％以上カットし、青色光を低減し、緑色光を増加した光質バランスにより、植物の育成放射効率を低下するように構成してある。また青色光を２５％から３０％の範囲で低下させ、緑色光を１０％から１５％の範囲で増加させ、植物の育成放射効率を１５％から２０％の範囲で低下させて構成してある。【選択図】          図３
2005216572.tif 000002
【特許請求の範囲】
【請求項１】
蛍光水銀ランプの外球の表面に、酸化亜鉛と緑色無機顔料を混合したスラリーを被着し、３８０ｎｍ以下の紫外放射を９０％以上カットし、青色光を低減し、緑色光を増加した光質バランスにより、植物の育成放射効率を低下したことを特徴とする緑色フィルター付ランプ。
【請求項２】
青色光を２５％から３０％の範囲で低下し、緑色光を１０％から１５％の範囲で増加し、植物の育成放射効率を１５％から２０％の範囲で低下したことを特徴とする請求項１記載の緑色フィルター付ランプ。
【発明の詳細な説明】
【技術分野】
【０００１】
本発明は自然生態系への夜間照明による光影響の低減と人間生活における夜間行動の共生を考慮したもので、公園灯、街路灯、スポーツ照明灯などに装着して使用する光源に関する。
【背景技術】
【０００２】
従来より公園灯や街路灯は緑が美しく見えることが命題として蛍光水銀ランプが使用されている。しかしながら前述のランプは紫外放射や青色光成分が多いため昆虫の誘虫性が高く、植物への光影響も懸念されていた。またスポーツ照明についても野球のボールは白く、芝生は緑に見えることなど競技者側の要望が強く、蛍光水銀ランプの利用率が高くなっている。
【０００３】
したがって自然生態系保全を重視する公園では夜間照明の点灯中止、新規公園では照明設備不要論が叫ばれ始めている。しかしながら夜間に人間の進入を防止する施策もないため保安・安全性などの問題が重要な課題であり、自然生態系に光影響の少ない光源が希求されてきている。
【０００４】
一方、生態系への光影響を考慮したランプとしては、道路照明など演色性の問題のない場所では紫外放射の少ない高圧ナトリウムランプが使用され、演色性や快適性の求められる公園灯、街路灯、スポーツ照明などで昆虫の誘虫性を低減させるため３８０ｎｍ以下の紫外放射を低減したメタルハライドランプや器具全面ガラスに紫外放射を低減するフィルターを装着したものがある。
【０００５】
【特許文献１】特開平１１−２８３５７１
【発明の開示】
【発明が解決しようとする課題】
【０００６】
しかし、昆虫のみへの対応では自然生態系への影響は避けられない。特に昆虫は移動することが可能だが植物体の移動は難しく光影響を受けやすい。そこで植物への影響の少ないランプが必要とされていた。
【０００７】
本発明は、前記に鑑みてなされたもので、人間と自然生態系の共生を目的に、昆虫の誘虫性を低減するとともに植物への悪影響も低減し、自然生態系への光影響を少なくし、夜間の人間生活にも快適さ（演色性）と保安・安全性を提供することを目的とする。
【課題を解決するための手段】
【０００８】
本発明は上記の課題を解決するために次の構成とする。請求項１は、蛍光水銀ランプ発光管の表面若しくはランプの外球の表面に、酸化亜鉛と緑色無機顔料を混合したスラリーを被着する。
そして３８０ｎｍ以下の紫外放射を９０％以上カットし、青色光を低減し、緑色光を増加した光質バランスにより、植物の育成放射効率を低下するように構成してある。
【０００９】
請求項２は、請求項１に記載の緑色フィルター付ランプにおける青色光を２５％から３０％の範囲で低下し、緑色光を１０％から１５％の範囲で増加し、植物の育成放射効率を１５％から２０％の範囲で低下して構成してある。
【００１０】
上記した緑色フィルター付ランプによると、酸化亜鉛と緑色無機顔料を混合した被膜を被着して構成し、３８０ｎｍ以下の紫外放射をカットしたので昆虫の誘虫性は低くなる。また青色光を低減し、緑色光を増加した光質バランスにより、植物の育成放射効率を低下するように構成したので、植物への光による生理的影響も低減できる。
【発明の効果】
【００１１】
上記した本発明によると、昆虫の誘虫性を低減するとともに、植物への悪影響も低減する。さらに自然生態系への光影響を少なくし、夜間の人間生活にも快適さ（演色性）と保安・安全性を得ることができる特別な効果がある。
【発明を実施するための最良の形態】
【００１２】
次に、発明を実施するための最良の形態について説明する。
【実施例１】
【００１３】
実施例１は請求項１と２に対応し、蛍光水銀ランプに関する。図１は、蛍光水銀ランプ１の外球の表面に、酸化亜鉛と緑色無機顔料を混合したスラリー２を被着したものである。蛍光水銀ランプの外球の表面には、例えば酸化亜鉛と緑色顔料の配分を５０％で混合したスラリーを塗布する。同緑色フィルターを被着した蛍光水銀ランプによると、分光エネルギー分布は図２に示すように、３８０ｎｍ以下の紫外放射を９０％以上カットし、昆虫の誘虫性は低減する。また青色光を低減し、緑色光を増加した光質バランスにより、植物の育成放射効率を低下する。具体的には、青色光は２５％から３０％の範囲で低下し、緑色光は１０％から１５％の範囲で増加し、植物の育成放射効率は１５％から２０％の範囲で低下して構成してある。
同青色光と、緑色光と、植物の育成放射効率は、酸化亜鉛と緑色顔料の配分を５０％で混合したスラリーを塗布した結果えられた値である。
【００１４】
次に実施例１における昆虫の誘虫性と、植物への光による生理的影響と、人間の視覚生理との関係について説明する。
図３は昆虫の視感度曲線と植物の作用曲線を示す。本発明の試験結果によると、３８０ｎｍ以下の紫外放射は９７％カットすることができた（表１）。また植物への光影響については、図３に示す如く、４００〜５００ｎｍの青色光には屈光性反応があり（図３  屈光性ＤＩＮ  ＰＴ）、６００ｎｍ以上の赤色光には、６６０ｎｍをピークとするフィトクロムの弱光反応（図３  ＤＩＮ  ＰＭ６６）と、７３０ｎｍをピークとするフィトクロムの強光反応（図３  ＤＩＮ  ＰＭ７３）があり、青色光と赤色光は植物体の育生作用効果が高いことが確認されている。また５００〜６００ｎｍの緑色光では光合成作用曲線（図３  光合成  平均ＰＳ）があるが、これは強光反応となるため、１５０ｌｘ（ＪＩＳＺ９１１０による公園照明の推奨照度による）以下の低照度の緑色光は植物にとって安全光といえる。そこで、緑色顔料により青色光を低減し、緑色光の比率をあげることで、植物にも影響の少ない光質が得られることになる。試験結果では、青色光を３０％低減することができた。青色光の低減は同時に昆虫の誘引性を低減することにも作用している。安全光となる緑色光の光質バランスを１５％増加させ、植物の各種作用曲線に合致しないようにすることができた。
【００１５】
次に上記した発明の具体的実験について説明する。
１）スラリー混合配分変化と光質特性の実験
実験の結果：表１にスラリー混合配分変化と光質特性を記載
表２に本発明の紫外放射の減衰率を記載
表３に一般の蛍光水銀ランプと本発明ランプの色の見え方
表４に植物の育成放射効率の比較を記載
２）昆虫の誘引実験
実験の日  ：２００３年８月１３〜１７日の５日間
実験の場所：岩崎電気（株）開発センター内（埼玉県行田市）
実験の条件：特許請求の範囲に記載の本発明ランプを使用
蛍光水銀ランプ２００Ｗと本発明品２５０Ｗ（蛍光水銀ランプ２００Ｗと等光束）の２灯を屋外にて点灯
周囲は田畑であり、所々に樹木がある
実験の結果：表５に一般の蛍光水銀ランプと本発明の昆虫誘引結果を記載
表６に本発明のランプの誘虫性を記載
【００１６】
(表１)スラリー混合配分変化と光質特性
2005216572.tif 000003
【００１７】
表１に示すように、緑色混合比率（酸化亜鉛と緑色の混合比率）が３８％になると、紫外線カット率は９７％となることが実験により確認されている。
【００１８】
(表２)紫外放射の減衰率
2005216572.tif 000004
【００１９】
紫外放射の計測は分光放射計で、距離１ｍ実測値単位：μＷ・ｃｍ−２・ｎｍ−１で測定してある。
本発明のランプは、表２に示すように、紫外放射の減衰率は一般の蛍光水銀ランプに比較して９７％となる。
【００２０】
(表３)一般の蛍光水銀ランプと本発明ランプの色の見え方
2005216572.tif 000005
【００２１】
表３の中  Ｒａ：平均演色評価数
Ｒ９：赤、Ｒ１０：黄、Ｒ１１：緑、Ｒ１２：青、Ｒ１４：木の葉の緑、Ｒ１５：肌色（日本人）、Tc:光源の色温度を示す。
実験結果によると表３に記載したように、平均演色評価数（Ｒa）をはじめ全ての特性が改善されている。
【００２２】
(表４)植物の育成放射効率
2005216572.tif 000006
【００２３】
表４に示すように、本発明によると、育成放射効率は低下し、植物の育成を抑制することができる。育成放射効率はランプの分光分布に植物の光合成曲線を乗じ、ランプ入力（Ｗ）で除した値である。
【００２４】
実験結果によると表１に記載したように、青色光は２５％から３０％の範囲で低下し、緑色光を１０％から１５％の範囲で増加し、植物の育成放射効率は１５％から２０％の範囲で低下する。このように青色光を低減し、緑色光を増加した光質バランスにより、植物の育成放射効率を低下することができる。
次に各色単色光と植物との生育影響について説明する。通常白色と赤色は植物の生育を促進する。また青色と緑色は、白色と赤色より植物の生育への影響は少ない。また青色と緑色を比較すると、緑色は青色より植物の生育への影響は少ない。（園芸学会雑誌７２別冊１、０３，ｐ．１２３、７２別冊２、０３，ｐ．１７５，２００３より）
【００２５】
植物への光の作用曲線は図３に示すものがあり、基本的には青色光と赤色光が強く影響を与える。また、光合成作用曲線が比較的緑色光に影響されることになるが、光合成には高い光エネルギー（数千〜数万ルクス）が必要となるため１５０ルクス以下の公園・街路照明やスポーツ照明の漏れ光程度では影響されないことになる。
【００２６】
(表５)一般の蛍光水銀ランプと本発明のランプの昆虫誘引結果
2005216572.tif 000007
【００２７】
表５に示すように、本発明のランプによると、従来の一般の蛍光水銀ランプに対して昆虫誘引除去率は７０％となることが実験により確認されている。
【００２８】
(表６)本発明のランプの誘虫性
2005216572.tif 000008
【００２９】
表６は白熱電球を１００としたときの単位光束当たりの数値を示す。紫外放射の減衰率が９７％となると、昆虫の誘虫率は表６に示すように、誘虫性は一般の蛍光水銀ランプに比較して７６％減となる。
【図面の簡単な説明】
【００３０】
【図１】本発明に係る緑色フィルター付ランプの外観図。
【図２】一般の蛍光水銀ランプと本発明に係る緑色フィルター付ランプの比較図。
【図３】昆虫の視感度と植物の作用曲線を示す図。
【符号の説明】
【００３１】
１  外球
２  スラリー
【図１】
2005216572.tif 000009
【図２】
2005216572.tif 000010
【図３】
2005216572.tif 000011